(57)【要約】【課題】携帯電話装置で容易に任意の画像を作成する。【解決手段】入力されたデータを記憶するデータ一時格納手段１０を備えた携帯電話装置２１であって、データ一次記憶手段１０に記憶されているデータを加工する明度・彩度・色相調節手段７、画像描画手段８と、データ一次記憶手段１０に記憶されているデータを外部装置に出力するデータ転送手段９と、を備える。【選択図】　図１
2004096550.tif 000002
【特許請求の範囲】
【請求項１】
入力されたデータを記憶する記憶手段を備えた携帯電話装置であって、
前記記憶手段に記憶されているデータを加工するデータ加工手段と、
前記記憶手段に記憶されているデータを外部装置に出力するデータ出力手段と、
を備えたことを特徴とする携帯電話装置。
【請求項２】
前記データは、携帯電話端末の描画手段が作成した画像データ、通信回線を介して外部から取得した画像データ、携帯電話端末が搭載するカメラが取得した画像データ及び外部カメラが取得した画像データから選択される画像データを含むことを特徴とする請求項１記載の携帯電話装置。
【請求項３】
前記データ加工手段は、前記データに対して明度、彩度及び色相の少なくとも１つを調整することを特徴とする請求項１または２記載の携帯電話装置。
【請求項４】
前記データ加工手段は、前記データに対して他のデータを組み合わせることを特徴とする請求項１から３のいずれか１項記載の携帯電話装置。
【請求項５】
前記データを印刷データに変換する変換手段を備え、
前記出力手段は、前記印刷データを出力することを特徴とする請求項１から４のいずれか１項記載の携帯電話装置。
【請求項６】
請求項１から４のいずれか１項記載の携帯電話装置と、
前記携帯電話端末と接続され、前記携帯電話端末との間で転送するデータを格納する格納手段と、
を備えたことを特徴とするデータ転送システム。
【請求項７】
請求項５記載の携帯電話装置と、
前記携帯電話端末と接続され、前記携帯電話端末との間で転送するデータを格納する格納手段と、
を備えたことを特徴とするデータ転送システム。
【発明の詳細な説明】
【０００１】
【発明の属する技術分野】
本発明は携帯電話装置に関し、特に画像加工機能を備えた携帯電話装置及び画像加工したデータを外部に出力することのできるデータ転送システムに関するものである。
【０００２】
【従来の技術】
従来、ゲームセンターなどの娯楽施設にて写真を撮影しシールなどもプリントする写真シール自動販売機が知られている（特許文献１、特許文献２等）。
【０００３】
【特許文献１】
特開２００１−３３９６２５号公報
【０００４】
【特許文献２】
特開２００１−３０９１０８号公報
【０００５】
このうち、特許文献１（写真シール自動販売法及び写真シール自動販売機）に記載のものは、コンパクトな装置構成で被写体を写真撮影し撮影した写真をシールとして提供することができる写真シール自動販売機であり、複数人数がポーズを取ることができる撮像スペースと、被写体を撮影する為のカメラと、カメラの視野および領域に対して均一で十分な光学条件を提供することができるストロボと、撮影した画像を表示するディスプレイと、デジタルカメラで撮影した画像をディスプレイに表示する為の拡散板と、撮影した画像を印刷する為のプリンタなどを備えている。
【０００６】
また、特許文献２（画像配信システム及び方法）に記載のものは、入力された画像を外部端末装置で受信することのできる画像配信システムであり、インターネットに接続された画像入力手段と、入力画像の一時格納装置とを備えることにより、カメラ付き携帯電話装置から入力された画像を一時格納装置に保存し、保存したデータを印刷することができる。
【０００７】
【発明が解決しようとする課題】
しかし、従来の写真シール自動販売機は、装置が高価かつ大きい為、個人で所持することはできない。また、従来と類似する機能を備えた携帯電話装置においては、携帯電話装置などに付属しているカメラからの入力画像を携帯電話装置で加工することはできない為、外部装置に一旦送信して加工しなければならないという問題があった。また、携帯電話装置に保存している入力画像を印刷したい場合にも、プリンタが接続してあるパーソナルコンピュータなどの外部装置に一旦送信し、データを受信した外部装置から印刷しなければならないという問題があった。
【０００８】
本発明は、上記従来の問題を解決する為になされたもので、携帯電話装置で容易に任意の画像を作成することができる携帯電話装置を提供することを目的とする。また、携帯電話装置から外部装置を介さずに直接印刷することができる携帯電話装置を提供することを目的とする。さらに携帯電話装置との間でデータ伝送を可能にするデータ転送システムを提供することを目的とする。
【０００９】
【課題を解決するための手段】
上記の課題を解決するために、本発明の携帯電話装置は、入力されたデータを記憶する記憶手段を備えた携帯電話装置であって、前記記憶手段に記憶されているデータを加工するデータ加工手段と、前記記憶手段に記憶されているデータを外部装置に出力するデータ出力手段と、を備える構成とした。このように構成したことにより、画像や文字などのデータを携帯電話装置で加工することで任意の画像を作成することができる。
【００１０】
また、前記データは、携帯電話端末の描画手段が作成した画像データ、通信回線を介して外部から取得した画像データ、携帯電話端末が搭載するカメラが取得した画像データ及び外部カメラが取得した画像データから選択される画像データを含む構成とした。このように構成したことにより、複数の手段で、携帯電話装置に画像を取得することができる。
【００１１】
また、前記データ加工手段を、前記データに対して明度、彩度及び色相の少なくとも１つを調整するように構成した。このように構成することにより、好みに応じて画像の見易さを調節することができる。
【００１２】
また、前記データ加工手段を、前記データに対して他のデータを組み合わせるように構成した。このように構成することにより、データに必要な事項を追記することができる。
【００１３】
また、前記データを印刷データに変換する変換手段を備え、前記出力手段は、前記印刷データを出力するように構成した。このように構成することにより、携帯電話に保存されているデータを外部装置を介さずに直接印刷することができる。
【００１４】
また、本発明のデータ伝送システムは、請求項１から４のいずれか１項記載の携帯電話装置と、前記携帯電話端末と接続され、前記携帯電話端末との間で転送するデータを格納する格納手段と、を備える構成とした。このように構成したことにより、携帯電話装置に保存されているデータを格納手段に退避させたり、格納手段に格納されているデータを携帯電話装置で閲覧、保存することができる。
【００１５】
また、請求項５記載の携帯電話装置と、前記携帯電話端末と接続され、前記携帯電話端末との間で転送するデータを格納する格納手段と、を備える構成とした。このように構成したことにより、携帯電話に保存されているデータを印刷データの形式で転送することができる。
【００１６】
【発明の実施の形態】
以下、本発明の実施の形態について、図面を用いて説明する。
図１は、本発明の実施の形態における携帯電話装置の機能ブロック図である。図１において、インターネット情報送受信手段１は、ＴＣＰ／ＩＰプロトコルによりインターネット情報を送受信する手段である。通話手段２は、音声信号を送受信する手段である。キー入力手段３は、数字や文字などを入力する複数の入力キー（ボタン）で構成されている。画像入力手段４は、デジタルカメラまたはビデオカメラなどの静止画像や動画像を入力するカメラである。電話接続要求受付手段５は、発着信要求を受け付ける手段である。システム制御手段６は、携帯電話装置全体を統括し制御する手段である。明度・彩度・色相調節手段７は、画像入力手段４などにより入力された画像の濃淡、明暗、色味を調節する手段である。画像描画手段８は、キー入力手段３により線や点を描くことや、色を塗ることができる手段である。データ転送手段９は、ＵＳＢケーブルや赤外線通信やＢｌｕｅｔｏｏｔｈなどによって接続されたプリンタやコピー機にデータを転送する為にデータを変換し、転送する手段である。データ一時格納手段１０は、インターネットにより受信した情報や入力画像などを格納するメモリである。データ表示手段１１は、データ一時格納手段１０に格納されているデータを表示データに変換する装置である。表示部１２は、液晶などの表示装置である。
【００１７】
図２は、本発明の実施の形態における携帯電話装置を使用したシステムの構成図である。図２において、携帯電話装置２１は図１の機能ブロック図を備えた携帯電話装置である。基地局装置２２は、携帯電話装置２１と電波に重畳した情報を送受する装置である。コンピュータ２３は、科学計算・事務管理・自動制御から言語や画像の情報処理に至るまで広範囲に用いる電子計算機である。プリンタ２４は、携帯電話装置２１やコンピュータ２３などから文字・数字・画像などのデータを出力する印刷機である。カメラ２５は、静止画像や動画像を撮影することのできる装置である。外部サーバ２６は、文字・数字・画像などのデータを格納するデータベース機能を持ち、他の携帯電話装置２１やコンピュータ２３などにデータベース内のデータを提供したり、携帯電話装置２１やコンピュータ２３などが具備する一時格納領域内のデータをデータベース内に保存したりする機能を持つコンピュータである。ネットワーク２７は、携帯電話装置２１やコンピュータ２３が、何らかの情報やソフトウェア、機器などを共有するための公衆回線、専用線及びインターネットを含む通信網である。コピー機２８は、携帯電話装置２１やコンピュータ２３などから文字・数字・画像などのデータを出力する機能も備えた印刷機である。
【００１８】
図２のシステム構成における携帯電話装置２１の動作について説明する。第１に、キー操作により画像や文字などを入力しデータとして保存する動作を説明する。キー入力手段３は数字や文字を入力する。画像入力手段４は画像を入力する。画像入力手段４は、携帯電話装置内蔵型、外付型カメラなど画像を入力することのできるものであれば、いかなる形態のものでも良い。入力した画像や文字データは、データ一時格納手段１０に格納された後、表示部１２において表示を行う。連続して画像や文字を入力する場合には、上記の手順を繰り返す。データ一時格納手段１０に格納されているデータを外部装置に出力したい場合には、データ転送手段９によって所望の外部装置にデータを転送する。外部装置は、携帯電話装置とＵＳＢケーブル、赤外線通信及びＢｌｕｅｔｏｏｔｈなどの通信手段で接続されるプリンタ又はコピー機など、データを印刷できるものであれば、いかなる形態のものでも良い。例えば、コンビニエンスストアに設置してあるコピー機などでも良い。このように、画像や文字のデータを携帯電話装置に簡単に入力することや、一般に普及している通信形態により携帯電話装置内に保存した画像や文字のデータを簡単に外部装置に出力することができる。
【００１９】
第２に、カメラ以外での画像入力動作について説明する。携帯電話装置において画像を描画する動作について説明する。キー入力手段３にて、点や線や文字や図形の入力を行う。入力した点や線や文字は好みの色を選択することができ、図形にも好みの色を選択し塗ることができる。描画した画像は、データ一時格納手段１０に格納することができる。また、インターネット情報をインターネット情報送受信手段１を介して、携帯電話装置に入力することができる。入力した情報は、データ一時格納手段１０に格納することができる。このように、携帯電話装置に取り付けられたカメラからだけではなく、携帯電話装置にて作成した画像やインターネットから得られた情報を携帯電話装置に格納し、閲覧することができる。
【００２０】
第３に、取得した画像の色の調節動作について説明する。データ一時格納手段１０に格納されているデータに対して、明度・彩度・色相調節手段７にて、濃淡、明暗、色味を調節することができる。したがって、カメラを用いた場合など、入力された画像が、全体的に明るすぎたり暗すぎたりして見にくい場合などに、明るさ調節を行うことにより見やすく調節することができる。また、画像の明度のみでなく、彩度や色相も、好みに応じて自由に調整できる。
【００２１】
第４に、画像描画手段８を用いた上書き動作について説明する。データ一時格納手段１０に格納されているデータに対し、第２に説明した画像描画方法にて点や線や文字や図形の入力を行い、上書きしたデータを再度データ一時格納手段１０に格納する。データ一時格納手段１０に格納されているデータが地図画像であった場合には、待ち合わせ場所に○印などを付与して、更に待ち合わせ日や時刻などの情報を添付（上書き）することもできる。このように、データ一時格納手段１０に格納されているデータに注意書きなどのメモを残すができ、使い勝手が向上する。
【００２２】
第５に、データ転送手段９を用いたデータ出力方法について説明する。データ一時格納手段１０に格納されているデータを、データ転送手段９にて転送できる形式にデータを変換し、携帯電話装置に接続されたプリンタやコピー機にデータを転送する。携帯電話装置とプリンタやコピー機との接続形式は、ＵＳＢケーブルや赤外線通信やＢｌｕｅｔｏｏｔｈなど、どのような形態のものでも構わない。これにより、携帯電話装置内のデータを外出先などでもコンビニエンスストアなどに設置してあるコピー機などで直接印刷することができ、使い勝手が向上する。
【００２３】
第６に、外部サーバ２６との間でのデータの送受信の動作について説明する。データ一時格納手１０に格納してあるデータを、インターネット情報に変換し、インターネット送受信手段１により、ネットワーク上の外部サーバ２６に対してデータ送信することができる。また、逆に外部サーバ２６に格納されているデータを、インターネット送受信手段１を介して受信し、データ一時格納手段１０に格納することができる。これにより、携帯電話装置内のデータと外部サーバ２６内のデータベース間でデータを送受することにより、複数の利用者間で情報の共有化や、データのバックアップを取ることができる。
【００２４】
【発明の効果】
以上のように本発明は、データ加工手段で画像や文字などのデータを加工することで、携帯電話装置で任意の画像を作成することができる。また、変換手段で変換された印刷データを出力することで、携帯電話に保存されているデータを外部装置を介さずに直接印刷することができる。さらに、携帯電話端末との間で転送するデータを格納する格納手段を備えてデータ転送を可能にするデータ転送システムを構築することで、携帯電話装置に保存されているデータを格納手段に退避させたり、格納手段に格納されているデータを携帯電話装置で閲覧、保存することができる。
【図面の簡単な説明】
【図１】本発明の実施形態における携帯電話装置の構成を示すブロック図。
【図２】本発明の実施形態における携帯電話装置を用いたデータ転送システムを示す構成図。
【符号の説明】
１　インターネット情報通信手段
２　通話手段
３　キー入力手段
４　画像入力手段
５　電話接続要求受付手段
６　システム制御手段
７　明度・彩度・色相調節手段
８　画像描画手段
９　データ転送手段
１０　データ一時格納手段
１１　データ表示手段
１２　表示部
２１　携帯電話装置
２２　基地局装置
２３　コンピュータ
２４　プリンタ
２５　カメラ
２６　外部サーバ
２７　ネットワーク
２８　コピー機
【図１】
2004096550.tif 000003
【図２】
2004096550.tif 000004